(57)【要約】【目的】要冷蔵（チルド）保存化粧品の保存状態の確認が可能である化粧品包装体を提供する。【構成】実質的にガス非透過性の包装材で形成されて封止時には真空又はガス置換された外装体に、  化粧品収容容器と、脱酸素剤と、酸素インジケーターとが密封収納されており、  且つ温度インジケーターが前記外装体の内部又は外部に配設されており、  しかも、前記酸素インジケーターの感知表示部と温度インジケーターの感知表示部の夫々が視覚により確認可能な構成であることを特徴とする化粧品包装体である。【選択図】        図１
0003114234.tif 000002
【実用新案登録請求の範囲】
【請求項１】
実質的にガス非透過性の包装材で形成されて封止時には真空又はガス置換された外装体に、
化粧品収容容器と、脱酸素剤と、酸素インジケーターとが密封収納されており、
且つ温度インジケーターが前記外装体の内部又は外部に配設されており、
しかも、前記酸素インジケーターの感知表示部と温度インジケーターの感知表示部の夫々が視覚により確認可能な構成であることを特徴とする化粧品包装体。
【請求項２】
前記化粧品収容容器が、エアレス容器方式の容器であることを特徴とする請求項１に記載の化粧品包装体。
【請求項３】
前記外装体が、ジッパー付き袋体であることを特徴とする請求項１又は２に記載の化粧品包装体。
【請求項４】
前記温度インジケーターの感知表示部が、化粧品の品質保持温度の範囲外の温度に晒された場合に、視覚確認可能に表示する構成であることを特徴とする請求項１〜３のいずれかに記載の化粧品包装体。
【請求項５】
前記温度インジケーターの感知表示部が、化粧品の品質保持温度の範囲外の温度に晒されていた時間が所定時間を超えた場合に、視覚確認可能に表示する構成であることを特徴とする請求項４に記載の化粧品包装体。
【考案の詳細な説明】
【技術分野】
【０００１】
本考案は化粧品包装体に関し、詳しくは要冷蔵（チルド）保存化粧品の保存状態を確認できる包装体に関する。
【背景技術】
【０００２】
化粧品は栄養成分であるため、輸送時や販売時等の環境状態や開封使用時の保存環境・使用状態等によって品質低下・劣化が生じ易い。
【０００３】
従って、チューブ容器・ビン容器等の包装体をガス遮断性材料で形成したり、蓋体の密封性を高めたり、脱酸素剤を同梱する等の対策を施すことで収容する化粧品の品質保持が図られている。特許文献１及び２には、これらの対策が施された容器に関する技術が記載されている。
【０００４】
かかる対策は包装体だけでなく、収容する化粧品自体にも防腐剤等の添加剤を配合することで品質低下・劣化の防止や開封使用時の汚染防止が図られている。
【特許文献１】特開平１０−２３６５３８号公報
【特許文献２】特開２００３−２９２０５５号公報
【考案の開示】
【考案が解決しようとする課題】
【０００５】
特許文献１には、水分・ガス非透過性の外壁によって外部からの水分・ガスの浸入を防ぐと共に、内部に脱酸素剤・乾燥剤を収納して、水分・ガスの薬剤への影響を防止する容器が記載されている。
【０００６】
特許文献２には、化粧品を収容する容器として、ガス遮断性の透明フィルムから成り、脱酸素剤と乾燥剤を収容した容器が記載されている。
【０００７】
特許文献１及び２のいずれの技術も、未開封時には水分・ガスの影響を防ぐことはできるが、開封使用時の雑菌の浸入を防ぐことができないため、化粧品自体に化粧成分や栄養成分とは全く異質の防腐剤類を添加せざるを得ない状況となっている。
【０００８】
本考案者は、防腐剤無添加の純粋な栄養成分・化粧成分のみの化粧品を鮮度の高い状態で提供せんがために、防腐剤無添加化粧品の収容に適した容器・包装体について鋭意研究を重ねたところ、工場等での化粧品の製造から、出荷・販売を経て、消費者が購入して使用するまでの全ての工程で冷蔵（チルド）状態を維持すれば可能であることが判った。
【０００９】
ところが、工場等での製造時には温度を厳密に管理することが可能であるが、出荷・販売時及び流通業者に渡った後の温度管理は困難であり、化粧品がどのような環境下に晒されていたかを判別することは極めて困難である。
【００１０】
そこで本考案の課題は、要冷蔵（チルド）保存化粧品の保存状態の確認が可能である化粧品包装体を提供することにある。
【課題を解決するための手段】
【００１１】
上記課題を解決する本考案は下記構成を有する。
１．実質的にガス非透過性の包装材で形成されて封止時には真空又はガス置換された外装体に、
化粧品収容容器と、脱酸素剤と、酸素インジケーターとが密封収納されており、
且つ温度インジケーターが前記外装体の内部又は外部に配設されており、
しかも、前記酸素インジケーターの感知表示部と温度インジケーターの感知表示部の夫々が視覚により確認可能な構成であることを特徴とする化粧品包装体。
【００１２】
２．前記化粧品収容容器が、エアレス容器方式の容器であることを特徴とする上記１に記載の化粧品包装体。
【００１３】
３．前記外装体が、ジッパー付き袋体であることを特徴とする上記１又は２に記載の化粧品包装体。
【００１４】
４．前記温度インジケーターの感知表示部が、化粧品の品質保持温度の範囲外の温度に晒された場合に、視覚確認可能に表示する構成であることを特徴とする上記１〜３のいずれかに記載の化粧品包装体。
【００１５】
５．前記温度インジケーターの感知表示部が、化粧品の品質保持温度の範囲外の温度に晒されていた時間が所定時間を超えた場合に、視覚確認可能に表示する構成であることを特徴とする上記４に記載の化粧品包装体。
【考案の効果】
【００１６】
請求項１に示す発明によれば、酸素インジケーターによって酸素が浸入したか否かの確認ができ、温度インジケーターにより冷蔵（チルド）状態であったか否かの確認ができるため、要冷蔵（チルド）保存化粧品の保存状態の確認が可能である。従って、化粧品の品質が維持されているか否かが、製造者や販売者等の専門家だけでなく、学生・ＯＬ・主婦の如き一般消費者にも容易に判別できる。
【００１７】
請求項２に示す発明によれば、使用による化粧品減量時に化粧品容器内への空気の浸入を抑制することができるので、化粧品の品質低下・劣化を抑制することができる。
【００１８】
請求項３に示す発明によれば、開封後の外装体の再封止が容易である。
【００１９】
請求項４に示す発明によれば、品質保持温度の範囲外の環境下に晒されたことがあるか否かの確認が、視覚を通じて容易にできる。
【００２０】
請求項５に示す発明によれば、品質保持温度の範囲外の環境下に晒されていた時間が問題となる時間（所定時間）を超えているか否かの確認が、視覚を通じて容易にできる。
【考案を実施するための最良の形態】
【００２１】
次に、添付の図面に従って本考案を詳細に説明する。
図１は本考案に係る化粧品包装体の一実施例を示す概略正面図である。
図１において、本考案に係る化粧品包装体は、外装体２、化粧品収容容器３、脱酸素剤４、酸素インジケーター５、温度インジケーター６とを有して構成される。
【００２２】
外装体２は、実質的にガス非透過性の包装材で形成されており、真空又はガス置換された状態で封止される。また、該外装体２は開封後の再封止が極めて容易なジッパー付き袋体とすることが好ましい。２Ａは外装体２の口部に設けられたジッパー部である。実質的にガス非透過性の包装材としては、この種の化粧品包装体に用いられる公知公用のガス非透過性のフィルムないしシートからなる包装体を用いることができ、好ましくは収納物である化粧品収容容器３を外部から目視できる透明部分を少なくとも一部に有するものである。
【００２３】
化粧品収容容器３は、工場等の製造段階において化粧品を収容した後に前記外装体２に密封収容される。内部に収容される化粧品は、防腐剤を添加しない純粋な栄養成分・化粧成分のみの化粧品であることが好ましい。該化粧品収容容器３をエアレス容器とすれば、化粧品と空気との接触を抑制することができるので好ましい。
【００２４】
化粧品収容容器３に収容される化粧品としては、防腐剤無添加の純粋な化粧成分・栄養成分のみの化粧品、例えば、水溶性コラーゲン１００％からなる化粧品や、他の成分を含む化粧品、例えば、水、ペンチレングリコール、水溶性コラーゲンからなる化粧品や、水、１，２−ヘキサンジオール、水溶性コラーゲンからなる化粧品が挙げられる。防腐剤無添加（ないしは低添加率）化粧品はクリーンルーム等の衛生管理された設備で化粧品収容容器３に充填され閉栓された後、外装体２内に密封収納される。
【００２５】
脱酸素剤４は、この種の化粧品包装体に用いられる公知公用の脱酸素剤を用いることができる。外装体２内に脱酸素剤４を密封収納することで、製造後の密封時及び開封後の再封止時に外装体２内に残存する酸素を吸収して化粧品の酸化を防止することができる。
【００２６】
酸素インジケーター５は、酸素の有無を感知して表示するものであり、酸素に接触すると変色する等の変化が生じることで酸素に晒されたか否かの視覚確認が可能となる。該酸素インジケーター５は、感知表示部５Ａが前記外装体２の外部から視覚確認可能な状態で該外装体２の内部に密封収納される。該酸素インジケーター５としては、公知公用の酸素インジケーターを用いることができる。また、該酸素インジケーター５は不可逆性であることが好ましい。
【００２７】
温度インジケーター６は、設定された温度から外れた場合や、設定された温度の範囲外となった時等に、かかる温度変化を感知して表示するものであり、感知部分が変色する等の変化が生じることで温度変化の視覚確認が可能となる。該温度インジケーター６は、感知表示部６Ａが前記外装体２の外部から視覚確認可能な状態で該外装体２の内部又は外部に配設される。該温度インジケーター６は、前記外装体２の内部に収納されることが好ましいが、外装体２の内部である化粧品収容容器３の保存温度環境下と同等の温度環境下を維持可能であれば、外装体２の外部に配設されていてもよい。該温度インジケーター６としては、公知公用の温度インジケーターを用いることができる。また、該温度インジケーター６は不可逆性であることが好ましい。
【００２８】
温度インジケーター６の感知表示部６Ａの感知温度としては、化粧品収容容器３に収容され外装体１に密封収納される化粧品の品質保持温度から外れる温度域に設定される。例えば、防腐剤無添加（ないしは低添加率）化粧品は、チルド状態（凍結しない温度の直前の低温度域で概ね０〜５℃）であることが好ましい保存温度環境であるため、感知温度は５℃を超えた場合に感知する温度に設定することが好ましい。更に、複数段の温度感度とすることが好ましく、例えば、５℃以外に、１０℃を超えた場合、２０℃を超えた場合等のように、どの程度の温度まで晒されたかを感知表示することが好ましい。
【００２９】
さらに温度インジケーター６は、経過時間表示型であることがより好ましい。経過時間表示型とすることで、保存温度が化粧品の品質保持温度から外れたか否かだけでなく、外れた場合に、どの程度の時間だけ外れていたかが表示される。経過時間の表示としては、例えば、１時間、４時間、２４時間の３段階表示を挙げることができる。
【００３０】
化粧品の品質保持は、品質保持温度から外れた場合、どの程度の温度まで外れたかに加えて、その外れた温度環境下にどの程度の時間晒されていたかが重要である。例えば、５℃以上であって１０℃未満（５℃以上を感知したが１０℃を感知しない表示）では、４時間未満（１時間以上を感知したが４時間を感知しない表示）であれば品質低下・劣化の可能性は少ないと云えるが、２４時間以上（２４時間以上を感知した表示）では品質低下・劣化の可能性有りと云える。また、４時間未満（１時間以上を感知したが４時間を感知しない表示）であっても、２０℃を超えた場合（２０℃以上を感知した表示）には品質低下・劣化の可能性大と云える化粧品がある。
【００３１】
化粧品の成分等の内容・種類に応じて、温度インジケーター６の感知表示部６Ａに表示される温度と経過時間との表示から品質保持の基準値（所定温度・所定時間）を予め設定しておけば、感知表示部６Ａの表示を見ただけで当該化粧品の販売停止や使用中止を即座に判別することができるようになる。
【００３２】
酸素インジケーター５の感知表示部５Ａや温度インジケーター６の感知表示部６Ａの感知表示を文字を浮かび上がらせる構成、例えば、品質保持の範囲外の保存環境下に晒されてしまった場合に「使用できません！」等の文字を浮かび上がらせる表示の構成とすれば、一般消費者でも化粧品の品質が維持されているか否かを容易に判別することができる。
【図面の簡単な説明】
【００３３】
【図１】本考案に係る化粧品包装体の一実施例を示す概略正面図
【符号の説明】
【００３４】
１  化粧品包装体
２  外装体
２Ａ  ジッパー部
３  化粧品収容容器
４  脱酸素剤
５  酸素インジケーター
５Ａ  感知表示部
６  温度インジケーター
６Ａ  感知表示部
【図１】
0003114234.tif 000003